(57)【特許請求の範囲】
【請求項１】
入力される音声から音声信号生成する音声入力手段と、
上記音声入力手段によって生成された音声信号に対して用件毎に、音声信号の用件番号を示すＩＤ番号、音声信号の用件の再生の優先順位を示す優先度及び音声信号を再生するアラーム設定時刻を記憶する記憶手段と、
上記記憶手段に記憶された音声信号の用件ごとに優先度を設定する優先順位設定手段と、
上記記憶手段に記憶された音声信号からなる用件に対してアラームの設定時刻を操作設定する操作手段と、
上記アラーム設定されたＩＤ番号の音声信号に対して、アラーム設定時刻になったときに一度だけ上記アラームを報知するモードか、毎日上記アラーム設定時刻になったときに上記アラームを報知するモードか、毎週上記アラーム設定時刻になったときに上記アラームを報知するモードかの何れかを選択するモード選択手段と、
上記モード選択手段によって選択された何れかのモードに応じて、アラーム設定時刻になったとき、このムアラーム設定時刻のＩＤ番号に対応した用件の音声信号を上記記憶手段に記憶された優先度順に上記記憶手段から読み出す制御を行う制御手段と、
上記制御手段によって上記記憶手段から読み出された音声信号を再生する再生手段とを備え、
上記制御手段は、上記アラーム設定時刻になった用件の音声信号を読み出す際に上記再生手段がアラーム設定された用件以外の用件を再生しているときは、その再生を停止させ、上記アラーム設定時刻になった用件の音声信号を上記優先度に応じて上記記憶手段から読み出す制御を行うことを特徴とする記録再生装置。
【請求項２】
入力される音声から音声信号生成する音声入力手段と、
上記音声入力手段によって生成された音声信号に対して用件毎に、音声信号の用件番号を示すＩＤ番号、音声信号の用件の再生の優先順位を示す優先度及び音声信号を再生するアラーム設定時刻を記憶する記憶手段と、
上記記憶手段に記憶された音声信号の用件ごとに優先度を設定する優先順位設定手段と、
上記記憶手段に記憶された音声信号からなる用件に対してアラームの設定時刻を操作設定する操作手段と、
上記アラーム設定されたＩＤ番号の音声信号に対して、アラーム設定時刻になったときに一度だけ上記アラームを報知するモードか、毎日上記アラーム設定時刻になったときに上記アラームを報知するモードか、毎週上記アラーム設定時刻になったときに上記アラームを報知するモードかの何れかを選択するモード選択手段と、
上記モード選択手段によって選択された何れかのモードに応じて、アラーム設定時刻になったとき、このアラーム設定時刻のＩＤ番号に対応した用件の音声信号を上記記憶手段に記憶された優先度順に上記記憶手段から読み出す制御を行う制御手段と、
上記制御手段によって上記記憶手段から読み出された音声信号を再生する再生手段と、
上記アラーム設定時刻になったことを示唆する表示手段とを備え、
上記制御手段は、所定時刻毎に上記アラーム設定時刻になったかを判定し、上記音声信号を上記記憶手段に記録中に上記アラーム設定時刻になった場合に、上記アラーム設定時刻になったことを上記表示手段に表示させ、上記記憶手段への記録が終了後に上記アラーム設定時刻に設定された音声信号を上記記憶手段から読み出し、上記再生手段によって再生することを特徴とする記録再生装置。
【発明の詳細な説明】
【０００１】
【発明の属する技術分野】
本発明は、記録媒体としてフラッシュメモリを用いた記録再生装置に関する。
【０００２】
【従来の技術】
今日では、会議や講義等の内容をメモ用紙に記載するような感覚で、簡単に音声を記録／再生することのできる記録再生装置が提供されている。上記記録再生装置は、記録媒体としてフラッシュメモリを用いたものであり、１件毎に音声データを記憶し、１件毎に音声データを再生して音声を出力する。具体的には、上記記録再生装置は、複数の用件からなる音声データをフラッシュメモリに記憶し、再生時には、古い用件の音声データから順に再生している。
【０００３】
このような記録再生装置は、例えばアラーム機能を有し、所望の時刻になるとビープ音を発してから設定された１つの用件の音声をするようになっている。
【０００４】
【発明が解決しようとする課題】
ところで、記録再生装置に記録された用件にもそれぞれ重要度が異なり、利用者は重要度の高い用件にはそれぞれアラームを設定したい場合がある。しかし、従来の記録再生装置は、１件の用件に対してしかアラーム設定をすることができず、甚だ不便であった。
【０００５】
本発明は、このような実情を鑑みて提案されたものであり、録音された全ての用件に対して任意にアラームを設定することができる記録再生装置を提供することを目的とする。
【０００６】
【課題を解決するための手段】
上述の課題を解決するために、本発明に係る記録再生装置は、入力される音声から音声信号生成する音声入力手段と、上記音声入力手段によって生成された音声信号に対して用件毎に、音声信号の用件番号を示すＩＤ番号、音声信号の用件の再生の優先順位を示す優先度及び音声信号を再生するアラーム設定時刻を記憶する記憶手段と、上記記憶手段に記憶された音声信号の用件ごとに優先度を設定する優先順位設定手段と、上記記憶手段に記憶された音声信号からなる用件に対してアラームの設定時刻を操作設定する操作手段と、上記アラーム設定されたＩＤ番号の音声信号に対して、アラーム設定時刻になったときに一度だけ上記アラームを報知するモードか、毎日上記アラーム設定時刻になったときに上記アラームを報知するモードか、毎週上記アラーム設定時刻になったときに上記アラームを報知するモードかの何れかを選択するモード選択手段と、上記モード選択手段によって選択された何れかのモードに応じて、アラーム設定時刻になったとき、このムアラーム設定時刻のＩＤ番号に対応した用件の音声信号を上記記憶手段に記憶された優先度順に上記記憶手段から読み出す制御を行う制御手段と、上記制御手段によって上記記憶手段から読み出された音声信号を再生する再生手段とを備える。そして、上記制御手段は、上記アラーム設定時刻になった用件の音声信号を読み出す際に上記再生手段がアラーム設定された用件以外の用件を再生しているときは、その再生を停止させ、上記アラーム設定時刻になった用件の音声信号を上記優先度に応じて上記記憶手段から読み出す制御を行う。
また、本発明に係る記録再生装置は、更に、上記制御手段は、所定時刻毎に上記アラーム設定時刻になったかを判定し、上記音声信号を上記記憶手段に記録中に上記アラーム設定時刻になった場合に、上記アラーム設定時刻になったことを上記表示手段に表示させ、上記記憶手段への記録が終了後に上記アラーム設定時刻に設定された音声信号を上記記憶手段から読み出し、上記再生手段によって再生する。
【０００７】
【発明の実施の形態】
以下、本発明の実施の形態について、図面を参照しながら説明する。
本発明は、例えば図１に示すような構成のＩＣレコーダ１に適用される。
【０００８】
上記ＩＣレコーダ１は、記録部１０によって電気的にデータの消去／再書込みが可能な不揮発性メモリであるＥＥＰＲＯＭ（Electrical Erasable/Programmable Read-Only Memory ）すなわちフラッシュメモリ９に音声データを記憶させ、フラッシュメモリ９の音声データを再生部２０によって再生する制御を行う制御部３０を有し、表示部４０に操作部５０からの操作内容やフラッシュメモリ９の音声データの内容を表示させるものである。
【０００９】
上記記録部１０は、音声を電気信号に変換して音声信号を出力するマイクロホーン１１と、マイクロホーン１１からの音声信号を増幅する増幅器１２と、増幅器１２で増幅された音声信号の利得制御を行う自動利得制御回路（以下、「ＡＧＣ」：Automatic Gain Controllerという。）１３と、ＡＧＣ１３からの音声信号を音声データに変換するエンコーダ１４と、エンコーダ１４からの音声データを一時記憶するバッファメモリ１５とを備える。
【００１０】
マイクロホーン１１は、入力される音を音声信号に変換して増幅器１２に供給し、増幅器１２は、音声信号を増幅してＡＧＣ１３に供給する。ＡＧＣ１３は、増幅器１２で増幅された音声信号を、その利得が所定値になるように利得制御を行ってエンコーダ１４に供給する。
【００１１】
エンコーダ１４は、音声信号が時間的に相関が強いことから、例えば適応型差分パルスコードモジュレーション（以下、「ＡＤＰＣＭ」：Adaptive Differential Pulse Code Modulation という。）方式により、音声信号を符号化して音声データを生成し、この音声データをバッファメモリ１５を介してフラッシュメモリ９に供給する。
【００１２】
また、エンコーダ１４は、２つのモードに応じて音声データの符号化量を調整することができ、例えばＳＰモードのとき８ｋＨｚでサンプリングを行い、ＬＰモードのときは４ｋＨｚでサンプリングを行って、時間軸方向に対して音声信号の符号化量を調整する。
【００１３】
一方、再生部２０は、フラッシュメモリ９から読み出された音声データを元の音声信号に変換するデコーダ２１と、高域成分を除去するフィルタ２２と、フィルタ２２からの音声信号を増幅してスピーカ２４に供給する増幅器２３とを備える。
【００１４】
デコーダ２１は、記録部１０のエンコーダ１４に対応したものであり、上述のＳＰモード又はＬＰモードに応じてフラッシュメモリ９から読み出された音声データ、すなわちＡＤＰＣＭ方式で符号化された音声データを復号していわゆるＰＡＭ信号を生成する。フィルタ２２は、このＰＡＭ信号から音声帯域以上の高周波成分を除去して、音声信号を出力する。増幅器２３は、デコーダ２１から供給される音声信号を増幅してスピーカ２４を駆動する。かくして、録音された音がスピーカ２４から出力される。
【００１５】
制御部３０は、このＩＣレコーダ１の動作を制御するためのプログラムが記憶されているＲＯＭ３１と、ＲＯＭ３１に記憶されているプログラムを実行して、フラッシュメモリ９や記録部１０，再生部２０，表示部４０を制御するマイクロコンピュータ（以下、ＣＰＵという。）３２と、時刻情報を生成するタイマ３３と、時刻やプログラムの実行結果等を一時的に記憶するランダム・アクセス・メモリ（以下、ＲＡＭ：Random Access Memoryという。）３４とを備え、操作部５０の操作設定に基づいて各回路を制御する。
【００１６】
また、ＣＰＵ３２は、例えばタイマ３３が所定時刻になると、フラッシュメモリ９に記録されている音声データを読み出す制御を行う。
【００１７】
また、上述の記録部１０，再生部２０，制御部３０は図２に示す筐体６０内に設けられている。筐体６０の操作面には、図２に示すように、表示パネル４１が外部を臨むように設けられ、さらに、記録再生等の操作を行うための操作部５０が配設されている。
【００１８】
表示部４０は、低消費電力の液晶表示パネル４１と、この液晶表示パネル４１を照明するためのバックライト４２とを備え、ＩＣレコーダ１の動作状態や操作手順を表示する。
【００１９】
ここで、液晶表示パネル４１には、例えば図３に示すように、５種類のファイルについてのアイコン７１，７２，７３，７４，７５のいずれか１つを選択的に表示するアイコン表示部７０と、上記いずれかのファイル内に格納された各音声データについての情報を示す音声データ表示部８０が備えられている。なお、図示しないが、液晶表示パネル４１は、この他にも各音声データの記録或いは再生時間、現在の日付及び時刻、記録中或いは再生中である旨、電源の残量、及び動作状態や操作等に関する種々の文字情報等を表示するようになっている。
【００２０】
アイコン表示部７０に表示される各アイコンは、例えばアイコン７１が行動用の音声データを格納するファイルに対応し、アイコン７２がスケジュール用の音声データを格納するファイルに対応し、アイコン７３が第１のメモ用の音声データを格納するファイルに対応し、アイコン７４が第２のメモ用の音声データを格納するファイルに対応し、アイコン７５が他人に知られたくないプライベートな音声データを格納する所謂シークレットファイルに対応するものである。ＩＣレコーダ１においては、このように用途別に複数のファイルを設定し、それぞれのファイル内に音声データを格納することによって、用途に応じた音声データの整理ができるようになっている。
【００２１】
一方、音声データ表示部８０には、音声データのインデックス番号についての表示を行うインデックス番号表示部８１と、各音声データの再生の優先度を星状マーク８２ａ，８２ｂ，８２ｃによって表示するプライオリティ表示部８２と、アラーム設定時刻になったことを示唆するアラーム表示部８３とが設けられている。インデックス番号表示部８１には、分子分母がそれぞれ２桁の整数による分数が表示されるようになっており、分母の数が記録された音声データの件数を、分子の数が現在再生している或いは即座に再生可能な状態にある音声データのインデックス番号をそれぞれ表す。
【００２２】
また、プライオリティ表示部８２には、インデックス番号表示部８１の上記分子の表示に対応して各音声データの再生の優先度が表示される。この優先度の表示は、具体的には、各星状マーク８２ａ〜８２ｃが３つ全て表示される状態（以下、プライオリティ３の状態という。）、２つ表示される状態（以下、プライオリティ２の状態という。）、１つだけ表示される状態（以下、プライオリティ１の状態という。）、１つも表示されない状態（以下、プライオリティ０の状態という。）の４つの段階がある。そして、ＩＣレコーダ１においては、この星状マークの表示が多いほどその音声データが重要であり優先的に再生されるべきデータであることを示している。すなわち、この実施の形態では、プライオリティ３のデータが最も重要度が高いものとなり、プライオリティ０のデータが最も重要度が低いものとなる。
【００２３】
アラーム表示部８３は、例えば録音最中にアラーム設定時刻になった場合に、点滅することによって利用者に注意を促すものである。
【００２４】
操作部５０は、具体的には図２に示すように、ファイルボタン５１と、メニューボタン５２と、プライオリティボタン５３と、ジョグダイヤル５４と、停止ボタン５５と、録音ボタン５６と、消去ボタン５７と、ホールドスイッチ５８とを有する。
【００２５】
ファイルボタン５１は、上述した５種類からなるファイルを変更操作するためのものである。そして、録音ボタン５６が押されてから停止ボタン５５が押されるまでの１件分の音声データは、これらの５つのファイルの何れかに格納される。
【００２６】
メニューボタン５２は、モード状態をメニューモードに強制的に設定するものである。また、メニューモードに設定されると、ジョグダイヤル５４によって種々の操作設定が可能になる。
【００２７】
プライオリティボタン５３は、録音されたファイルの優先順位を切換設定するものである。この優先順位は例えば上述のように４段階に分けられる。液晶表示パネル４１には、用件のＩＤナンバとともにその優先順位に応じて星型の記号が表示される。
【００２８】
ジョグダイヤル５４は、図２に示すように、Ｘ方向又はＹ方向に回転自在に設けられ、例えば既に記録された複数の用件の中から所望のものを選択できるようになっている。さらに、ジョグダイヤル５４は、Ｚ方向にもスライド可能に配設されている。例えば、利用者がジョグダイヤル５４で所望の用件を選択してからそのジョグダイヤル５４をＺ方向に短い時間押圧する（以下、「クリックする」という。）と、その用件の音声データが再生される。
【００２９】
停止ボタン５５は、録音中又は再生中の動作を中止させるものである。録音ボタン５６は、録音を開始するためものである。消去ボタン５７は、再生中又は停止中に１件の音声データを消去するためのものである。ホールドスイッチ５８は、動作中又は停止中の状態を維持するためのスライドスイッチであり、ホールドオン／オフの切換を設定することによってボタン操作を有効にしたり無効にするものである。
【００３０】
ここで、上述のフラッシュメモリ９は、例えばＮＡＮＤ型のものである。フラッシュメモリ９は、バッファメモリ１５から供給される音声データを記憶すると共に、どの領域に記憶したか等を示す音声データを管理する管理情報（以下、ＴＯＣ情報という。）を記憶する。上記フラッシュメモリ９は、８×１６Ｍビットの容量を有し、ＳＰモードでは２００〜３４００Ｈｚの音声信号に対応した１６分間分の音声データを記憶することができ、ＬＰモードでは２００〜１７００Ｈｚの音声信号に対応した２４分間分の音声データを記憶することができる。
【００３１】
ここで、上記フラッシュメモリ９には、図４に示すように、消去単位となる５１２ブロック毎に音声データ等が分割されて記憶される。そして、これらのブロックは６種類に分けられる。具体的には、エターナルブロック（１ブロック）と、インデックスステージ０ブロック（６ブロック）と、インデックスステージ１ブロック（６ブロック）と、バックアップブロック（１ブロック）と、ワークエリアブロック（１５ブロック）と、ＰＣＭデータブロック（４６９ブロック）の６種類がある。
【００３２】
また、上述のＴＯＣ情報は、エターナルブロックと、インデックスステージ０ブロックと、インデックスステージ１ブロックと、バックアップブロックと、ワークエリアブロックとによって構成される。なお、音声データは、ＰＣＭデータブロックに書き込まれる。
【００３３】
各ブロックは、図４に示すように、１ページ（＝５２８バイト）が１６個集合して構成され、ページ０，ページ１，・・・，ページ１４，ページ１５を有する。この１ページは５１２バイトのデータエリアと１６バイトの冗長エリアとからなる。なお、データの記録再生の不可能なブロック（以下、「無効ブロック」という。）は最大１０ブロック存在している。
【００３４】
ここで、エターナルブロックはフラッシュメモリ９の最初又は最後のブロック以外、すなわちアドレスの先頭又は最後以外に設けられている。エターナルブロックは、最初に読み出されるＴＯＣ情報であって、このデータに基づいてインデックスステージ０ブロックやインデックスステージ１ブロック等が読み出される。このように、エターナルブロックは、データを読み出すための重要なものであり、静電気，異常電圧等の異常動作時に最も破壊される可能性の高い場所であるアドレスの先頭又は最後を避けて配置されている。すなわち、例えば音声データの記録されているブロックが破壊されてもかかるブロックのデータをいったん消去すればその後問題は生じない。しかし、エターナルブロックが破壊されてしまうと全てのデータを読み出すことが不可能となってしまうので、これを回避すべくエターナルブロックは上述のようにアドレスの先頭又は最後以外のブロックに設けられている。
【００３５】
なお、エターナルブロックでは、ページ０のみにデータがあり、ページ１〜ページ１５にはデータがない。
【００３６】
エターナルブロックのページ０は、具体的には図５に示すように、４バイトのエターナルブロック認識用のデータと、２バイトのエターナルブロックアドレスと、２バイトのインデックスステージ０アドレスと、２バイトのインデックスステージ１アドレスと、２バイトのワークエリアブロックスタートアドレスと、４バイトのダミーデータと、１２８バイトのブランクマップとを備える。なお、ブランクマップは、無効ブロックであるか否かをブロック毎に示す無効ブロックマップが記憶される場所である。
【００３７】
無効ブロックマップは、ブロック毎に無効ブロックであるか否かを１ビットで示すことによって作成され、全てのブロックに対して、そのブロックが有効ブロック又は無効ブロックであるかを記述している。したがって、フラッシュメモリの総ブロック数をＮ個とすると、Ｎ／８バイト分のエリアを上記無効ブロックマップのために設けておけばよい。ここでは、フラッシュメモリ９の総ブロック数は５１２個なので、６４バイト分のエリアがあればよい。
【００３８】
例えば、上記無効ブロックでは、図６に示すように、全てのブロックに対して、有効ブロックであれば「０」、無効ブロックであれば「１」が記述される。また、データの読出しや書込み等を行っているときにブロックが破損して無効ブロックが生じたときは、そのブロックが無効ブロックであることを示すように上記無効ブロックマップを書き換えるようにしてもよい。
【００３９】
なお、無効ブロックマップは、フラッシュメモリの製造時から設けられてもよいし、また、記録／再生を行う前にＣＰＵ３２に全てのブロックをスキャンさせて無効ブロックの有無を判断させてから作成されてもよい。これは、フラッシュメモリは製造時から複数の無効ブロックを有し、各無効ブロックにはそのブロックが無効ブロックであることを示すフラグが設けられているので、このフラグに基づいて無効ブロックマップを作成するのは、フラッシュメモリの製造の最終段階でも可能であるし、ＣＰＵ３２が記録／再生の制御をする前でも可能だからである。
【００４０】
インデックスステージ０ブロックとインデックスステージ１ブロックは同じ構成であり、データの書換えがある毎に、これらは交互に書き換えられる。すなわち、音声データが書き込まれると例えばインデックスステージ０ブロックのデータが書き直され、再び音声データが書き込まれるとインデックスステージ１ブロックのデータが書き直される。以下、これらのブロックをインデックスステージブロックと総称して説明する。
【００４１】
インデックスステージブロックは、上述のようにそれぞれ６ブロックあり、ファイルデータからなるもの（５ブロック）と、ステージデータからなるもの（１ブロック）とがある。ファイルデータからなるインデックスステージブロックとしては、アクションファイル用，スケジュールファイル用，メモ１ファイル用，メモ２ファイル用，シークレットファイル用に、それぞれ１ブロックの合計５ブロックある。
【００４２】
ファイルデータからなるインデックスステージブロックは、図７に示すように、ページ０からページ１１にあるＡＤＲデータ部と、ページ１２からページ１５にあるＨＤＲデータ部とで構成される。
【００４３】
ＡＤＲデータ部は、具体的には図８に示すように、例えば「０１」〜「０６」の音声データの用件の番号を示すＩＤナンバと、音声データが記録されているブロック毎に、当該ブロックのＳＰ又はＬＰのモードを示す「ＳＰ」と、当該ブロックの上位のスタートアドレスを示す「ＳＴＨ」及び下位のスタートアドレスを示す「ＳＴＭ」と、当該ブロックの上位のエンドアドレスを示す「ＥＮＨ」及び下位のエンドアドレスを示す「ＥＮＭ」とを有する。なお、音声データの１つの用件は、音声データ記録されるブロックが１以上集合して構成されるものとする。
【００４４】
例えば、６つの用件の音声データが録音された場合、図９に示すように、上記ＡＤＲデータ部には上記６件毎に対応する「０１」〜「０６」までのＩＤナンバが記録される。なお、このＩＤナンバは、録音された６件の音声データの再生の順序を示すものである。そして、ＩＤナンバ毎に、記録モード（ＳＰ）と、そのＩＤナンバの音声データが記録されている場所のスタートアドレス（ＳＴＨ，ＳＴＭ）とエンドアドレス（ＥＮＨ，ＥＮＭ）が記録されている。なお、ＩＤナンバ０１及びＩＤナンバ０３の音声データの容量は大きいので、図８に示すように、例えばＩＤナンバ０１の音声データは２つのブロックで構成され、ＩＤナンバ０３の音声データは４つのブロックで構成されている。このとき各ブロック毎に記録モードとスタートアドレス及びエンドアドレスが記録される。
【００４５】
また、ＨＤＲデータ部は、図９に示すように、ブロック毎に、ＩＤナンバと、そのブロックのプライオリティを示す「ＰＲＩ」と、アラームセットのオン／オフを示す「ＡＬＭ」と、アラームを鳴らす月，日，時，分，曜日を示す「ＡＭＯ」，「ＡＤＡ」，「ＡＨＯ」，「ＡＭＩ」，「ＡＯＷ」とを有する。ここで、プライオリティとは、音声データの用件の再生の優先順位を示すものである。このようにＨＤＲデータ部では、録音された用件毎に、すなわちＩＤナンバ毎にアラームの設定日時を示す「ＡＭＯ」，「ＡＤＡ」，・・・等のデータが記憶される。なお、アラーム設定されていない用件に対しては「ＡＭＯ」，「ＡＤＡ」，・・・等のデータが記憶されていないのは勿論である。また、このＨＤＲデータ部は、音声データが更新されなくても、プライオリティやアラームの設定変更がある毎に更新される。
【００４６】
ここで、アラーム機能は３つのモードがあり、例えば、設定時刻に一度だけアラームを鳴らし設定された用件を再生する通常モード、毎日設定時刻になるとアラームを鳴らし設定された用件を再生する毎日モードと、毎週設定時刻になるとアラームを鳴らし設定された用件を再生する毎週モードとがある。
【００４７】
通常モードに設定されているときは、「ＡＭＯ」，「ＡＤＡ」，「ＡＨＯ」，「ＡＭＩ」に設定日及び設定時刻のデータが書き込まれる。毎日モードに設定されているときは、「ＡＨＯ」，「ＡＭＩ」に設定時刻のデータが書き込まれる。毎週モードに設定されているときは、「ＡＨＯ」，「ＡＭＩ」，「ＡＯＷ」に設定曜日及び設定時刻のデータが書き込まれる。
【００４８】
一方、ステージデータからなるインデックスステージブロックは、図１０に示すように、ページ０にある有効マークと、ページ１にあるモード中断マークと、ページ２にあるブランクマップと、ページ３にあるエターナルブロックブランクマップとを備える。
【００４９】
バックアップブロックは、上述のエターナルブロックのバックアップであり、エターナルブロックをコピーしたものである。したがって、エターナルブロックが新たに書き換えられると、バックアップブロックも同様に書き換えられるようになっている。なお、バックアップブロックは、１個である必要はなく、複数個あってもよい。
【００５０】
ワークエリアブロックは、音声データの記録時にインデックスデータを一時的に記録しておくブロックである。ワークエリアブロックは、図１１に示すように、インデックスステージブロックとほぼ同様の構成となっており、ＩＤナンバーと、ＳＰ／ＬＰ情報と、音声データの上位スタートアドレスと、音声データの下位スタートアドレスと、音声データの上位エンドアドレスと、音声データの下位エンドアドレスとをそれぞれ１バイトずつ備える。したがって、このワークエリアブロックでは、ワークエリアブロックのデータを読み出しながら、インデックスステージブロックの書換えが行われ、スタートアドレス等のデータがそのまま書き込まれる。
【００５１】
ＰＣＭデータブロックは、主として音声データが記録されるブロックである。また、ＰＣＭデータブロックでは、図１２に示すように、１ページ毎に音声データのみならず、その音声データの記録された年，月，日，時，分，秒，曜日も記録される。具体的に１ページにおいては、５１２バイトの音声データ、各１バイトの年，月，日，時，分，秒，曜日のデータ、１バイトの時計セットフラグが記録される。
【００５２】
以上のように構成されたＩＣレコーダ１において、利用者が例えばジョグダイヤル５４を回転させて所定の音声データのインデックス番号を選択してからメニューボタン５２を押圧すると、ＣＰＵ３２は、メニューモードになって液晶表示パネル４１に「ＡＬＡＲＭ」の文字を表示させる。そして、ジョグダイヤル５４が例えばＸ方向に回転されると、液晶表示パネル４１には、図１３に示すように、「ＴＩＭＥＲ」，「ＳＥＣＲＥＴ」，「ＲＥＣ  ＭＯＤＥ」，「ＢＥＥＰ」，「ＶＯＲ」，「ＭＩＣ  ＳＥＮＣＥ」，「ＣＯＮＴＩＮＵＥ」，「ＬＩＧＨＴ」，「ＤＡＴＥ＆ＴＩＭＥ」の各文字がこの順に表示される。さらにジョグダイヤル５４がＸ方向に回転されると、再び「ＡＬＡＲＭ」，「ＴＩＭＥＲ」・・・が表示される。なお、ジョグダイヤル５４がＹ方向に回転されると、「ＤＡＴＥ＆ＴＩＭＥ」，「ＬＩＧＨＴ」，「ＣＯＮＴＩＮＵＥ」・・・と上述と逆の順番で表示される。
【００５３】
ここで、例えば「ＡＬＡＲＭ」が液晶表示パネル４１に表示されているときにジョグダイヤル５４がクリックされると、ＣＰＵ３２は、ジョグダイヤル５４からの入力信号を検知し、既に選択されたインデックス番号についての音声データを所定の時刻に再生するための設定を行うアラーム設定モードに移行する。
【００５４】
「ＴＩＭＥＲ」が液晶表示パネル４１に表示されているときにジョグダイヤル５４がクリックされると、ＣＰＵ３２は、タイマー設定モードに移行する。このタイマー設定モードは、所定の時刻を設定することにより、所定時間経過後に所望の音声データを再生させるタイマーの設定を行うためのモードである。
【００５５】
「ＳＥＣＲＥＴ」が液晶表示パネル４１に表示されているときにジョグダイヤル５４がクリックされると、ＣＰＵ３２は、シークレット設定モードに移行する。このシークレット設定モードでは、シークレットファイル内に格納する音声データの秘密性を保持するための暗証番号等の設定、あるいはそれを解除するための設定等が行われることになる。
【００５６】
「ＲＥＣ  ＭＯＤＥ」が液晶表示パネル４１に表示されているときにジョグダイヤル５４がクリックされると、ＣＰＵ３２は、録音設定モードに移行する。この録音設定モードでは、エンコーダ１４をＳＰモード又はＬＰモードのいずれかに設定することにより、符号化する音声の帯域幅及びそれに伴う録音可能時間の切り換え設定が行われる。
【００５７】
「ＢＥＥＰ」が液晶表示パネル４１に表示されているときにジョグダイヤル５４がクリックされると、ＣＰＵ３２は、ビープ音設定モードに移行する。このビープ音設定モードでは、例えば操作部５０のいずれかのボタンを押す毎にビープ音を鳴らすか鳴らさないかの切り換え設定等が行われる。
【００５８】
「ＶＯＲ」が液晶表示パネル４１に表示されているときにジョグダイヤル５４がクリックされると、ＣＰＵ３２は、ＶＯＲ（Voice Operated Recording）設定モードに移行する。このモードでは、一定レベル以上の音声が検出された場合にのみ自動的に録音を行い、いわゆる無音時には録音を行わない上記ＶＯＲの機能を実行させるか否かの設定を行う。
【００５９】
「ＭＩＣ  ＳＥＮＣＥ」が液晶表示パネル４１に表示されているときにジョグダイヤル５４がクリックされると、ＣＰＵ３２は、マイク感度設定モードに移行する。マイク感度設定モードでは、増幅器１２による増幅度のレベルがＨ（ハイ）／Ｌ（ロー）の２段階で切り換えられる。
【００６０】
「ＣＯＮＴＩＮＵＥ」が液晶表示パネル４１に表示されているときにジョグダイヤル５４がクリックされると、ＣＰＵ３２は、連続再生設定モードに移行する。この連続再生設定モードでは、複数件分の音声データが録音されている場合に、これらの複数の音声データを連続して再生する上記連続再生を行うか、又はこれを行わずに音声データを１件再生する毎に停止させるかのいずれかを設定する。
【００６１】
「ＬＩＧＨＴ」が液晶表示パネル４１に表示されているときにジョグダイヤル５４がクリックされると、ＣＰＵ３２は、ライト点灯設定モードに移行する。このモードでは、例えば操作部５０のいずれかのボタンが押圧された場合に１０秒間バックライト４２を点灯させたり、又は記録／再生の動作時においてのみバックライト４２を点灯させるといった設定ができる。
【００６２】
「ＤＡＴＥ＆ＴＩＭＥ」が液晶表示パネル４１に表示されているときにジョグダイヤル５４がクリックされると、ＣＰＵ３２は、日付・時刻設定モードに移行する。日付・時刻設定モードでは、例えば既に設定された時刻等を変更したいときに、年，月，日，及び時分の変更がジョグダイヤル５４の操作によって行われる。
【００６３】
ここで、上述のアラーム設定モードにおいて、利用者がジョグダイヤル５４を図２に示すＸ方向又はＹ方向に回転させると、ＣＰＵ３２は、液晶表示パネル４１にアラーム設定を行うかを示す「ＯＮ」又は「ＯＦＦ」を表示させる。ＣＰＵ３２は、「ＯＦＦ」を液晶表示パネル４１に表示させているときにジョグダイヤル５４がクリックされると、アラーム設定モードを停止する。また、ＣＰＵ３２は、「ＯＮ」を表示させているときにジョグダイヤル５４がクリックされると、アラームの日付設定モードになる。
【００６４】
ＣＰＵ３２は、この日付設定モードにおいて、ジョグダイヤル５４が例えば図２に示すＸ方向に回転されると、「ＤＡＴＥ」，「ＳＵＮ」，「ＭＯＮ」，「ＴＵＥ」，「ＷＥＤ」，「ＴＨＵ」，「ＦＲＩ」，「ＳＡＴ」，「ＥＶＥＲＹ」を順に液晶表示パネル４１に表示させ、さらにジョグダイヤル５４がＸ方向に回転されると、「ＤＡＴＥ」，「ＳＵＮ」・・・を繰り返し表示させる。
【００６５】
ここで、「ＤＡＴＥ」は、設定された日時にアラームを鳴らせて所望の用件を再生するモードに移行するための表示であり、「ＳＵＮ」〜「ＳＡＴ」は、日曜日から土曜日までのいずれかの曜日の設定された時刻にアラームを毎週鳴らせて用件を再生するモードに移行するための表示であり、「ＥＶＥＲＹ」は、設定された時刻に毎日アラームを鳴らせて用件を再生するモード移行するための表示である。
【００６６】
具体的な設定としては、通常モードにおいては、ＣＰＵ３２は、液晶表示パネル４１に「ＤＡＴＥ」を表示させているときにジョグダイヤル５４がクリックされると、「月」を入力するモードになり、「月」の入力後にクリックされると、「日」を入力するモードになる。また、「日」の入力後にクリックされると「時」の入力モードになり、「時」の入力後にクリックされると「分」の入力モードになる。こうして、利用者は、設定された日時にアラームが１回鳴るように、日付や時刻を入力することができる。
【００６７】
また、毎週モードにおいては、ＣＰＵ３２は、液晶表示パネル４１に「ＳＵＮ」〜「ＳＡＴ」のいずれかを表示させているときにジョグダイヤル５４がクリックされると、上述の場合と同様に、「時」の入力モードになり、「時」の入力後にクリックされると「分」の入力モードになる。こうして、利用者は、設定された曜日の所定の時刻にアラームを鳴らすように、日付や時刻を入力することができる。例えば、ＣＰＵ３２は、「ＷＥＤ」が液晶表示パネル４１に表示されているときにジョグダイヤル５４がクリックされ、さらに所定の時刻が入力されると、毎週水曜日の所定の時刻にアラーム音とともに所望の用件を再生する。
【００６８】
また、毎日モードにおいては、ＣＰＵ３２は、液晶表示パネル４１に「ＥＶＥＲＹ」を表示させているときにジョグダイヤル５４がクリックされると、上述の場合と同様に、「時」の入力モードになり、「時」の入力後にクリックされると「分」の入力モードになる。こうして、利用者は、所定の時刻に毎日アラーム音とともに所望の用件が再生されるように設定することができる。また、他の用件についてもアラームを設定するときは、利用者は、当該他の用件をジョグダイヤル５４を回転させて選択してからメニューボタン５２を押して、上述のように操作設定を行えばよい。
【００６９】
そして、記録又は再生を行っていないときに録音ボタン５６が押圧されると、ＣＰＵ３２は、エターナルブロックを認識して、このエターナルブロックから無効ブロックマップのデータを読み出す。ＣＰＵ３２は、上記無効ブロックマップのデータに基づいて、全てのブロックについて無効ブロックであるか否かを判断し、無効ブロックを避けてデータの書込みを行うように制御する。なお、フラッシュメモリ９には、上述の図７に示すように、既に６件の音声データが記録されているものとする。
【００７０】
具体的には、ＣＰＵ３２は、上記録音ボタン５６が押圧されると、録音モードに対応したプログラムをＲＯＭ３１から読み出して実行し、増幅器１２、ＡＧＣ１３、エンコーダ１４等を動作させ、バッファメモリ１５を介して所定時間遅延された音声データをフラッシュメモリ９のＰＣＭデータブロックに記憶させる。
【００７１】
ＣＰＵ３２は、ＰＣＭデータブロック毎に、５１２バイトの音声データを記録するとともに、当該ＰＣＭデータブロックにその記録時の年月日及び時分までも記録する。ＣＰＵ３２は、停止ボタン５５が押圧されるまで、上記音声データを１件分として各ＰＣＭデータブロックに書き込む制御を行う。
【００７２】
ＣＰＵ３２は、停止ボタン５５が押圧されると、ＰＣＭデータブロックに音声データを記録する制御を停止し、ＴＯＣ情報の書換えを行う。具体的には、インデックスステージブロックを書き換える。
【００７３】
ＣＰＵ３２は、ファイルデータからなるインデックスステージブロックのＡＤＲデータ部に対して、７件目の音声データをＩＤナンバ０１として、モード設定、スタートアドレス及びエンドアドレスのデータを書き込む。そして、ＣＰＵ３２は、元のＩＤナンバ０１〜ＩＤナンバ０６をＩＤナンバ０２〜ＩＤナンバ０７として、それぞれのＩＤナンバのモード設定、スタートアドレス及びエンドアドレスのデータを書き込む。
【００７４】
以上のように、ＣＰＵ３２は、図１４に示すように、新しく録音された７件目の音声データのＩＤナンバ１とし、元のＩＤナンバ０１〜ＩＤナンバ０６をそれぞれＩＤナンバ０２〜ＩＤナンバ０７として１つずつスライドしてＴＯＣ情報を書き換える。すなわち、最新の音声データをＩＤナンバ１として記録する。
【００７５】
つぎに、音声データを再生する場合について説明する。
利用者が記録又は再生の停止中に図２に示すジョグダイヤル５４をクリックすると、ＣＰＵ３２は、再生を開始する。すなわちＣＰＵ３２は、フラッシュメモリ９からエターナルブロックのエターナルブロック認識用のデータによって当該エターナルブロックを認識し、このエターナルブロックのデータを読み出す。なお、ＣＰＵ３２は、エターナルブロックを認識することができなかったときは、バックアップブロックを認識しこのバックアップブロックのデータを読み出す。
【００７６】
ＣＰＵ３２は、上記エターナルブロック又はバックアップブロック内のインデックスステージ０アドレス又はインデックスステージ１アドレスに基づいて、インデックスステージブロックのデータを読み出す。
【００７７】
ＣＰＵ３２は、ファイルデータからなるインデックスステージブロックのＡＤＲデータ部に基づいて、ＰＣＭデータブロック内の音声データを読み出す制御を行う。このとき、ＣＰＵ３２は、ＩＤナンバ０１，ＩＤナンバ０２，ＩＤナンバ０３，・・・の順に音声データを読み出す。具体的には、ＣＰＵ３２は、最初にＡＤＲデータ部のＩＤナンバ０１のスタートアドレス（ＳＴＨ，ＳＴＭ）及びエンドアドレス（ＥＮＨ，ＥＮＭ）に基づいて、ＩＤナンバ０１の音声データを読み出す。読み出された音声データは、デコーダ２１，フィルタ２２等を介して音声信号に変換されて、スピーカ２４に供給される。したがって、スピーカ２４は、ＩＤナンバ０１の音声を出力することができる。
【００７８】
ＣＰＵ３２は、図２に示す停止ボタン５５が押圧されるまで、音声データの読み出しを続ける。したがって、ＣＰＵ３２は、上述のようにＩＤナンバ０１の音声がスピーカ２４から出力されると、次にＩＤナンバ０２，ＩＤナンバ０３，・・・の順に音声データの読み出しを行う。
【００７９】
以上のように、上記ＩＣレコーダ１は、図１４に示すように、音声を録音する毎に最新の音声データをＩＤナンバ０１としてフラッシュメモリ９に記憶し、音声を出力するときはＩＤナンバ０１，ＩＤナンバ０２，ＩＤナンバ０３，・・・の順に行っている。一般に、古いＩＤナンバの音声データよりも新しいＩＤナンバの音声データの方が重要である傾向が強いので、上述の制御により重要な用件ほどＩＤナンバの最初の方に設定されるようになり、わざわざ重要で最新の用件をサーチする必要がなくなり、操作性が向上する。
【００８０】
つぎに、設定された時刻にアラームを鳴らして所定の用件の再生を行う場合について説明する。
【００８１】
ＣＰＵ３２は、上述のように、操作部５０を介してアラームの設定時刻及び再生の対象となる音声データの用件が設定されると、図１５に示すように、アラームの設定時刻と現在の時刻とが一致するかを判定する（ステップＳ１）。具体的には、ＣＰＵ３２は、フラッシュメモリ９のインデックスステージブロックに記録されているアラーム設定時刻のデータ及びその用件のＩＤナンバを読み出してＲＡＭ３４に格納し、１分毎にＲＡＭ３４のアラーム設定時刻のデータが現在の時刻と一致しているかを判定する。一致したときはステップＳ２に進み、一致していないときはステップＳ１に待機して、一致するまで１分毎に上述の判定を行う。また、ＣＰＵ３２は、アラームの設定が複数の用件に対して行われているときは、それぞれの用件に対して１分毎にＲＡＭ３４のアラーム設定時刻のデータが現在の時刻と一致しているかを判定する。
【００８２】
ＣＰＵ３２は、アラーム設定時刻が現在の時刻と一致すると、アラームモードに移行する（ステップＳ２）。なお、ＣＰＵ３２は、アラーム設定時刻と現在の時刻とが一致した時点で他の用件を再生していたときは、その再生を停止してからアラームモードに移行する。
【００８３】
ＣＰＵ３２は、アラームモードに移行すると、スピーカ２４からビープ音を１０秒間出力させ、ＲＡＭ３４に格納されていた設定用件のデータを再生する（ステップＳ３）。また、ＣＰＵ３２は、アラームの設定が複数の用件に対して行われているときは、それぞれの用件に対してステップＳ２及びステップＳ３の処理を行って、ＲＡＭ３４に格納されている設定用件のデータを再生する。
【００８４】
以上のように、上記ＩＣレコーダ１では、記録された用件毎にアラーム設定を行ったり行わなかったりすることができ、また、アラーム設定された用件に対してはアラームの設定時刻になったかを１分毎に判定して、設定時刻になった用件の音声データを再生することができる。そして、ＣＰＵ３２は、上述のように、プライオリティを示す「ＰＲＩ」、アラームセットのオン／オフを示す「ＡＬＭ」、アラームを鳴らす月，日，時，分，曜日を示す「ＡＭＯ」，「ＡＤＡ」，「ＡＨＯ」，「ＡＭＩ」，「ＡＯＷ」等が格納されたＨＤＲデータ部を含むインデックスステージブロックのデータを読み出すことから、優先度の設定があるとき、設定時刻になった用件の音声信号を優先度に応じて上記記憶手段から読み出し再生することができる。なお、他の用件を再生しているときであっても再生を停止してから、アラーム設定された用件を再生することができる。
【００８５】
また、上記ＩＣレコーダ１は、音声を録音しているときにアラームの設定時刻になったときは、図１６に示すステップＳ１１以下のように動作する。
【００８６】
ＣＰＵ３２は、上述のステップＳ１と同様に、操作部５０を介してアラームの設定時刻及びその対象となる用件が設定されると、図１６に示すように、アラームの設定時刻と現在の時刻とが一致するかを判定する（ステップＳ１１）。また、ＣＰＵ３２は、アラームの設定が複数の用件に対して行われているときは、それぞれの用件に対して１分毎にＲＡＭ３４のアラーム設定時刻のデータが現在の時刻と一致しているかを判定する。
【００８７】
ＣＰＵ３２は、液晶表示パネル４１にアラーム時刻になった旨の表示を行い（ステップＳ１２）、次に停止ボタン５５が押されたか又はフラッシュメモリ９の容量が一杯になったかを判定する（ステップＳ１３）。停止ボタン５５が押されていないとき又はフラッシュメモリ９の容量が一杯になっていないときはステップＳ１２に戻り、停止ボタン５５が押されたとき又は容量が一杯になったときは録音を停止してアラームモードに移行する（ステップＳ１４）。すなわち、ＣＰＵ３２は、停止ボタン５５が押されるか又はフラッシュメモリ９の容量が一杯になるまで録音を続けるとともに、液晶表示パネル４１のアラーム表示部８３を点滅させることによってアラーム時刻になった旨の表示を行う。
【００８８】
ＣＰＵ３２は、アラームモードに移行すると、スピーカ２４からビープ音を１０秒間出力させ、ＲＡＭ３４に格納されていた設定用件のデータを再生する（ステップＳ１５）。
【００８９】
以上のように、上記ＩＣレコーダ１では、例えば他の用件の音声を録音している最中であっても、ＣＰＵ３２が、アラーム設定された用件に対してはアラームの設定時刻になったかを１分毎に判定して、設定時刻になると液晶表示パネル４０にその旨の表示を行って利用者に注意を喚起させるとともに、録音停止後にその用件の音声データを再生することができる。さらに、複数の用件に対してアラーム設定が行われている場合であっても、ＣＰＵ３２は、各用件に対して同様の処理を行うことができる。
【００９０】
また、上記ＩＣレコーダ１は、既に記録された用件に他の用件を追加して合わせて１件して録音（後追い録音）することができる。このとき、ＣＰＵ３２は、図１７に示すステップＳ２１以下の処理を行う。
【００９１】
ＩＣレコーダ１が例えばＩＤナンバ０２の音声データを再生しているとき（ステップＳ２１）、利用者が録音ボタン５６を押圧すると、ＣＰＵ３２は、タイマ３３を作動させて、録音ボタン５６が１秒以上押圧されているかを判定する（ステップＳ２２）。ＣＰＵ３２は、録音ボタン５６が１秒以上押圧されたと判定したときはＩＤナンバ０２の音声データの再生を停止し（ステップＳ２３）、１秒以上押圧されなかったときは録音ボタン５６が押圧されるまで待機する。
【００９２】
ＣＰＵ３２は、ステップＳ２３で再生を停止した後、マイクロホーン１１に入力される音声の録音を開始し（ステップＳ２４）、音声データをフラッシュメモリ９のＰＣＭデータブロックに書き込む制御を行う。そして、ＣＰＵ３２は、停止ボタン５５が押されるか又はフラッシュメモリ９の容量が一杯になるまで録音を続ける（ステップＳ２５）。そして、ＣＰＵ３２は、停止ボタン５５が押されるか又はフラッシュメモリ９の容量が一杯になったときは、録音を停止する（ステップＳ２６）。
【００９３】
ＣＰＵ３２は、録音を停止すると、音声データのＴＯＣ情報の書換えを実行する（ステップＳ２７）。具体的には図１８に示すように、ＣＰＵ３２は、用件データからなるインデックスステージブロックのＡＤＲデータ部において、まず、録音前からあったＩＤナンバ０１及びＩＤナンバ０２のスタートアドレス（ＳＴＨ，ＳＴＭ）及びエンドアドレス（ＥＮＨ，ＥＮＭ）を書き込む。つぎに、ＣＰＵ３２は、ＩＤナンバ０２として新たに後追い録音した音声データの記録位置を示すスタートアドレス及びエンドアドレスを書き込み、そして、録音前からあったＩＤナンバ０３以降の音声データのスタートアドレス等を再び書き込む制御を行う。このように、ＣＰＵ３２は、新しく後追い録音する音声データをＩＤナンバ０２として、そのスタートアドレス（ＳＴＨ，ＳＴＭ）及びエンドアドレス（ＥＮＨ，ＥＮＭ）を書き込む。
【００９４】
したがって、ＩＣレコーダ１は、上述のように再生を開始すると、ＩＤナンバ０１，ＩＤナンバ０２，・・・の順で音声データの再生を行う。このとき、後追い録音を行った用件は、図１９に示すように、ＩＤナンバ０２の再生を行っているときにスピーカ２４から出力される。
【００９５】
すなわち、上記ＩＣレコーダ１は、既に録音されている複数の用件の何れか一つを選択してその用件に追加して新しい用件を録音することができる。これにより、利用者は、既に録音した用件と関連のある用件を新しく録音するときは、既に記録されている用件の音声データと新しい用件の音声データとを同じＩＤナンバにすることによって１つの用件として取り扱うことができる。よって、関連のある用件をバラバラに録音した場合に、それらの用件をサーチする手間を省いて操作性を向上させることができる。また、操作部５０の構成を変える必要がないので、生産コストを上げることなく、上述の後追い録音をすることが可能となる。
【００９６】
なお、上述の実施の形態では、所定の用件を再生しているときに録音ボタン５６が１秒間以上押圧されると後追い録音モードになるものとして説明したが、後追い録音モードはこの場合に限られるものではない。
【００９７】
例えば、利用者がＩＤナンバ０２の用件を再生を停止させてから、録音ボタン５６を所定時間（例えば２秒間）押圧すると、ＣＰＵ３２は、後追い録音モードになって、図１７に示すステップＳ２４以下の処理を行うことによって、ＩＤナンバ０２として新たな音声データをフラッシュメモリ９に記録するようにしてもよい。
【００９８】
【発明の効果】
以上詳細に説明したように、本発明に係る記録再生装置によれば、複数の用件からなる音声信号を記憶するとともに、上記記憶領域にアラーム設定時刻を記憶し、選択手段にしたがって選択された設定時刻になった用件の音声信号を上記優先度に応じて上記記憶手段から読み出し再生することができる。
【図面の簡単な説明】
【図１】本発明を適用したＩＣレコーダの具体的な構成を示すブロック図である。
【図２】上記ＩＣレコーダの正面図である。
【図３】上記ＩＣレコーダの液晶表示パネルを説明するための図である。
【図４】上記ＩＣレコーダのフラッシュメモリの構成図である。
【図５】上記フラッシュメモリのエターナルブロックの構成図である。
【図６】上記エターナルブロックの無効ブロックマップの構成図である。
【図７】上記フラッシュメモリのファイルデータからなるインデックスステージブロックの構成図である。
【図８】上記インデックスステージブロックのＡＤＲデータ部の構成図である。
【図９】上記インデックスステージブロックのＨＤＲデータ部の構成図である。
【図１０】上記フラッシュメモリのファイルデータからなるインデックスステージブロックの構成図である。
【図１１】上記フラッシュメモリのワークエリアブロックの構成図である。
【図１２】上記フラッシュメモリのＰＣＭデータブロックの構成図である。
【図１３】種々のモードを設定するときの操作手順を示す説明図である。
【図１４】新しく録音された音声データの記録位置を説明するための図である。
【図１５】アラーム設定したときのＣＰＵの動作を示すフローチャートである。
【図１６】アラーム設定したときのＣＰＵの動作を示すフローチャートである。
【図１７】ＩＤナンバ０２として新しく音声データを後追い録音するときのＣＰＵの動作を説明するフローチャートである。
【図１８】ＩＤナンバ０２として新しく音声データを後追い録音したときのインデックスステージブロックのＡＤＲデータ部の構成図である。
【図１９】ＩＤナンバ０２として新しく後追い録音された音声データの記録位置を説明するための図である。
【符号の説明】
１１  マイクロホーン、９  フラッシュメモリ、２４  スピーカ、３２  ＣＰＵ
【図１】
0003879192.tif 000002
【図２】
0003879192.tif 000003
【図３】
0003879192.tif 000004
【図４】
0003879192.tif 000005
【図５】
0003879192.tif 000006
【図６】
0003879192.tif 000007
【図７】
0003879192.tif 000008
【図８】
0003879192.tif 000009
【図９】
0003879192.tif 000010
【図１０】
0003879192.tif 000011
【図１１】
0003879192.tif 000012
【図１２】
0003879192.tif 000013
【図１３】
0003879192.tif 000014
【図１４】
0003879192.tif 000015
【図１５】
0003879192.tif 000016
【図１６】
0003879192.tif 000017
【図１７】
0003879192.tif 000018
【図１８】
0003879192.tif 000019
【図１９】
0003879192.tif 000020